(57)【要約】      （修正有）【課題】組電池が充放電電流を流した際にも、真の電池セル電圧を計測できる組電池監視システムを提供する。【解決手段】一端が電池セルの正極に接続される抵抗素子８及び抵抗素子８の他端と電池セルの負極に接続されるコンデンサ９でＲＣフィルタが構成される。電圧監視ＩＣ５は、電圧検出器１３により各電池セルの電圧を監視し、内部に第２配線と１段上の第２配線との間に接続される放電用スイッチ１２を備える。スタックワイヤ４の両端は、電池セルの両端と同様に電圧監視ＩＣ５に接続される。抵抗素子７は、コンデンサ９の充電電荷を放電させない位置に配置される。スタックワイヤ４の第２配線には、抵抗値が抵抗素子７よりも高い電流制限抵抗素子１４が配置される。ＦＥＴ１５及び放電用抵抗素子１６の直列回路を、第２配線と電圧監視ＩＣ５の接続端子６（Ｔ−）間に接続する。ＦＥＴ１５は、抵抗素子１４に電流が流れた際の電圧降下でオンする。【選択図】図１
2019213332.tif 000002
【特許請求の範囲】
【請求項１】
それぞれが複数の電池セル（２）を多段直列接続して構成される複数のセル群（３）と、高電圧側のセル群と低電圧側のセル群との間をそれぞれ接続するセル群間配線（４）とを備える組電池（１）を監視対象とし、
各電池セルの正極に接続される第１配線と、
各電池セルの負極に接続される第２配線と、
前記第１配線において電池セルの正極側に挿入される抵抗素子（８），及び前記第１配線と前記第２配線との間に接続されるコンデンサ（９）で構成されるＲＣフィルタ（１０）と、
前記各電池セルの電圧を監視するため、前記第１配線と前記第２配線との間に接続される電圧検出器を備える電圧監視装置と、
前記電圧監視装置の内部において、前記第２配線と、１段上の電池セルの負極に接続されている第２配線との間に接続される放電用スイッチ（１２）とを備え、
前記第１及び第２配線並びに前記放電用スイッチは、前記セル群間配線の両端にも同様に接続されており、
各電池セルに接続される第２配線には、前記ＲＣフィルタを構成するコンデンサの充電電荷を放電させない位置に放電用抵抗素子（７）が配置され、
前記セル群間配線の低電位側に接続される第２配線には、抵抗値が前記放電用抵抗素子よりも高く設定される電流制限抵抗素子（１４）が配置され、
前記低電位側に接続される第２配線と、１段下の第２配線における放電用抵抗素子の電圧監視装置側の端子との間に接続される代替放電用スイッチ（１５，２２）及び放電用抵抗素子（１６）の直列回路とを備え、
前記代替放電用スイッチは、前記電流制限抵抗素子に電流が流れた際に発生する電圧降下によってオンする組電池監視システム。
【請求項２】
前記代替放電用スイッチは、トランジスタで構成され、
前記トランジスタのゲート又はベースは、前記電流制限抵抗素子の電圧監視装置側の端子に接続されている請求項１記載の組電池監視システム。
【請求項３】
前記直列回路は、前記最上位の電池セル（２Ｔ）に並列に接続されている請求項１又は２記載の組電池監視システム。
【請求項４】
前記電流制限抵抗素子に並列に接続されるコンデンサ（２１）を備える請求項３記載の組電池監視システム。
【請求項５】
前記代替放電用スイッチは、トランジスタで構成され、
前記トランジスタのゲート又はベースは、１段上の放電用抵抗素子の電圧監視装置側の端子に接続されている請求項１又は２記載の組電池監視システム。
【請求項６】
それぞれが複数の電池セル（２）を多段直列接続して構成される複数のセル群（３）と、高電圧側のセル群と低電圧側のセル群との間をそれぞれ接続するセル群間配線（４）とを備える組電池（１）を監視対象とし、
各電池セルの正極に接続される第１配線と、
各電池セルの負極に接続される第２配線と、
前記第１配線において電池セルの正極側に挿入される抵抗素子（８），及び前記第１配線と前記第２配線との間に接続されるコンデンサ（９）で構成されるＲＣフィルタ（１０）と、
前記各電池セルの電圧を監視するため、前記第１配線と前記第２配線との間に接続される電圧検出器を備える電圧監視装置（４２，４５）と、
前記電圧監視装置の内部において、前記第２配線と、１段上の電池セルの負極に接続されている第２配線との間に接続される放電用スイッチ及び逆流防止素子（４３，４６）の直列回路とを備え、
前記第１及び第２配線並びに前記放電用スイッチは、前記セル群間配線の両端にも同様に接続されており、
各電池セルに接続される第２配線には、前記ＲＣフィルタを構成するコンデンサの充電電荷を放電させない位置に放電用抵抗素子（７）が配置されている組電池監視システム。
【請求項７】
それぞれが複数の電池セル（２）を多段直列接続して構成される複数のセル群と（３）、高電圧側のセル群と低電圧側のセル群との間をそれぞれ接続するセル群間配線（４）とを備える組電池を監視対象とし、
各電池セルの正極に接続される第１配線と、
各電池セルの負極に接続される第２配線と、
前記第１配線において電池セルの正極側に挿入される抵抗素子（８），及び前記第１配線と前記第２配線との間に接続されるコンデンサ（９）で構成されるＲＣフィルタ（１０）と、
前記各電池セルの電圧を監視するため、前記第１配線と前記第２配線との間に接続される電圧検出器を備える電圧監視装置（５）と、
前記電圧監視装置の内部において、前記第２配線と、１段上の電池セルの負極に接続されている第２配線との間に接続される放電用スイッチ（１２）とを備え、
前記第１及び第２配線並びに前記放電用スイッチは、前記セル群間配線の両端にも同様に接続されており、
前記第２配線には、前記ＲＣフィルタを構成するコンデンサの充電電荷を放電させない位置に放電用抵抗素子（７）が配置され、
前記セル群間配線の高電位側に接続される第２配線に配置されている放電用抵抗素子（１４）の抵抗値は、その他の放電用抵抗素子よりも高く設定されている組電池監視システム。
【発明の詳細な説明】
【技術分野】
【０００１】
本発明は、組電池を構成する各電池セルの電圧を監視するシステムに関する。
【背景技術】
【０００２】
組電池には、各電池セルの電圧を検出し、各電圧が均等になるように均等化処理等を行うための電圧監視装置が接続される。この電圧監視装置がＩＣとして構成される際に、組電池と電圧監視装置との間には、ノイズを除去するためのＲＣフィルタが配置されている。特許文献１には、このような組電池監視システムにおいて、均等化処理のため電池セルを放電させた際に、ＲＣフィルタを構成するコンデンサを放電させることを回避するように、放電用抵抗素子を配置した構成が開示されている。
【先行技術文献】
【特許文献】
【０００３】
【特許文献１】特開２０１７−１２５７５６号公報
【発明の概要】
【発明が解決しようとする課題】
【０００４】
ところで、一般に組電池は、それぞれが複数の電池セルからなる複数のセル群を、スタックワイヤ等の配線により直列に接続して構成されている。そして、セル群を構成する電池セルの数は、様々である。このように様々な組電池の構成に電圧監視装置を対応させようとすると、２つのセル群の間を配線で接続する箇所が予め特定できないことから、それらの位置を考慮せずに、組電池−監視装置間の配線や、装置内部の電圧検出器や放電用スイッチを用意しておく必要がある。その結果、セル群間の配線部分にも、電圧監視装置内の電圧検出器や放電用スイッチが接続されることになる。
【０００５】
また、組電池が、例えば電気自動車の駆動用電源に使用される際には、大きな電流が流れるためノイズの影響を受け易い。駆動用電源電圧を昇圧しない構成では、より大きな電流が流れるのでノイズの影響がより強くなる。そして、セル群間の配線部分における高電位側の端子がノイズの影響を受けると、配線部が有している抵抗分により低電位側の端子よりも電位が低下することがある。放電用スイッチにＭＯＳＦＥＴを用いていると、その寄生ダイオードを介して低電位側から高電位側に電流が逆流する経路が形成され、その電流が放電用抵抗素子に流れて電圧降下が発生する。
この時、配線部の高電位側にある，つまり高電位側セル群の最下位の電池セルについて電圧を測定すると、上記電圧降下分の誤差が発生するという問題がある。
【０００６】
本発明は上記事情に鑑みてなされたものであり、その目的は、組電池が充放電電流を流した際にも、真の電池セル電圧を計測できる組電池監視システムを提供することにある。
【課題を解決するための手段】
【０００７】
請求項１記載の組電池監視システムによれば、高電圧側のセル群と低電圧側のセル群との間をそれぞれ接続するセル群間配線を備える組電池を監視対象とする。第１配線において電池セルの正極側に挿入される抵抗素子，及び第１配線と第２配線との間に接続されるコンデンサによりＲＣフィルタが構成される。電圧監視装置は、第１配線と第２配線との間に接続される電圧検出器により各電池セルの電圧を監視する。電圧監視装置の内部には、第２配線と１段上の電池セルの負極に接続されている第２配線との間に接続される放電用スイッチを備え、第１及び第２配線並びに放電用スイッチは、セル群間配線の両端にも同様に接続される。
【０００８】
各電池セルに接続される第２配線には、ＲＣフィルタを構成するコンデンサの充電電荷を放電させない位置に放電用抵抗素子が配置される。セル群間配線の低電位側に接続される第２配線には、抵抗値が放電用抵抗素子よりも高く設定される電流制限抵抗素子が配置される。代替放電用スイッチ及び放電用抵抗素子の直列回路を、前記低電位側に接続される第２配線と、１段下の第２配線における放電用抵抗素子の電圧監視装置側の端子との間に接続する。そして、代替放電用スイッチは、電流制限抵抗素子に電流が流れた際に発生する電圧降下によってオンする。
【０００９】
このように構成すれば、電圧監視装置の内部にある放電用スイッチに例えばＭＯＳＦＥＴを用いた際に、ノイズ等の影響を受けてセル群間配線の一端である高電圧側セル群側の電位が低下しても、ＭＯＳＦＥＴが備える寄生ダイオードを介して電流が逆流しようとする経路中には、抵抗値が高い電流制限抵抗素子が存在する。これにより、電流の逆流による影響を低減できる。したがって、電圧監視装置がＩＣで構成され、組電池においてセル群間配線がどの位置になるかが事前に分からなくても、事後的に電圧監視装置の外部において、放電用抵抗素子を電流制限抵抗素子に置き換えることで対応できる。
【００１０】
また、電圧監視装置の内部にある放電用スイッチをオンさせる際に、駆動回路が組電池の電池セルより電流を引き込むように構成されているとする。この場合、セル群間配線の他端である低電圧側セル群の最上位にある電池セルについて、均等化処理を行うため放電用スイッチをオンさせると、電流制限抵抗素子において発生する電圧降下が大きいことから、放電用スイッチをオンさせるための電位差が不足するおそれがある。これに対して、代替放電用スイッチを、電流制限抵抗素子に電流が流れた際に発生する電圧降下によってオンさせることで、前記電池セルを、他の電池セルと同様に２つの放電用抵抗素子を介した経路により放電させて均等化処理を行うことができる。
【００１１】
請求項６記載の組電池監視システムによれば、監視対象とする組電池や、第１及び第２配線，ＲＣフィルタ，放電用抵抗素子及び電圧検出器を備える電圧監視装置については、請求項１と同様である。そして、電圧監視装置の内部において、低電位側に接続される第２配線と、１段上の電池セルの負極に接続されている第２配線との間に、放電用スイッチ及び逆流防止素子の直列回路を備える。
【００１２】
このように構成すれば、請求項１と同様に、電圧監視装置の内部にある放電用スイッチに例えばＭＯＳＦＥＴを用いた際に、充放電電流の影響を受けてセル群間配線の一端である高電圧側セル群側の電位が低下しても、逆流防止素子によって電流の逆流による影響を低減できる。したがって、電圧監視装置がＩＣで構成され、組電池においてセル群間配線がどの位置になるかが事前に分からなくても対応できる。
【００１３】
請求項７記載の組電池監視システムによれば、監視対象とする組電池や、第１及び第２配線，ＲＣフィルタ，放電用抵抗素子及び電圧検出器を備える電圧監視装置については、請求項１と同様である。そして、セル群間配線の高電位側に接続される第２配線に配置されている放電用抵抗素子の抵抗値を、その他の放電用抵抗素子よりも高く設定する。
【００１４】
このように構成すれば、請求項１と同様に、電圧監視装置の内部にある放電用スイッチに、例えばＭＯＳＦＥＴを用いた際に、ノイズ等の影響を受けてセル群間配線の一端である高電圧側セル群側の電位が低下しても、その他の放電用抵抗素子よりも抵抗値が高い放電用抵抗素子によって電流の逆流による影響を低減できる。また、高電圧側セル群側の最低位に位置する電池セルについて均等化処理を行う際には、当該セルに対応する放電用スイッチと同時にセル群間配線に対応する放電用スイッチも併せてオンすれば、抵抗値が高い放電用抵抗素子を回避して、他の電池セルと同様に２つの放電用抵抗素子を介した経路により放電させて均等化処理を行うことができる。したがって、電圧監視装置がＩＣで構成され、組電池においてセル群間配線がどの位置になるかが事前に分からなくても対応できる。
【図面の簡単な説明】
【００１５】
【図１】第１実施形態であり、組電池監視システムの構成を示す図
【図２】電池監視ＩＣ内部の放電用スイッチを駆動する回路を示す図
【図３】従来構成の問題を説明する図
【図４】第２実施形態であり、組電池監視システムの構成を示す図
【図５】第３実施形態であり、組電池監視システムの構成を示す図
【図６】第４実施形態であり、組電池監視システムの構成を示す図
【図７】第５実施形態であり、組電池監視システムの構成を示す図
【図８】第６実施形態であり、組電池監視システムの構成を示す図
【図９】第７実施形態であり、組電池監視システムの構成を示す図
【図１０】第８実施形態であり、組電池監視システムの構成を示す図
【図１１】第９実施形態であり、組電池監視システムの構成を示す図
【発明を実施するための形態】
【００１６】
（第１実施形態）
以下、第１実施形態について説明する。図１に示すように、組電池１は、二次電池である複数個の電池セル２が多段直列接続されて構成される。実際の組電池１は、所定数の電池セル２を多段直列接続してなるセル群３の間を、スタックワイヤ４により接続したものである。図１は、高電位側のセル群３Ｈにおける最下段の電池セル２Ｂとの負側端子と、低電位側のセル群３Ｌにおける最上段の電池セル２Ｔの正側端子とを、スタックワイヤ４により接続した部分を示している。スタックワイヤ４はセル群間配線に相当する。
【００１７】
電圧監視ＩＣ５は、各電池セル２の負側端子に対応した接続端子６を備え、接続端子６は放電用抵抗素子７を介して、対応する電池セル２の負側端子にそれぞれ接続されている。電圧監視ＩＣ５は電圧監視装置に相当する。
尚、例えば電池セル２Ｂの正側端子は、その上位側，つまり高電圧側の電池セル２Ｂ＋の負側端子と共通である。以下では、電池セル２の位置によらず、ある１つの電池セル２の正側に接続される端子を６（＋），負側に接続される端子を６（−）と記載することがある。
【００１８】
各電池セル２の正側端子，負側端子には、抵抗素子８及びコンデンサ９の直列回路が接続されており、これらはＲＣフィルタ１０を構成している。電圧監視ＩＣ５において、各電池セル２に対応する接続端子６の間には、フィルタ接続端子１１が設けられている。フィルタ接続端子１１には、抵抗素子８及びコンデンサ９の共通接続点であるＲＣフィルタ１０の出力端子が接続されている。ここで、電池セル２の正側端子とフィルタ接続端子１１との間の配線は第１配線に相当し、電池セル２Ｂの負側端子と接続端子６との間の配線は第２配線に相当する。
【００１９】
ＰチャネルＭＯＳＦＥＴで構成される放電用スイッチ１２は、電池セル２に対応して、電圧監視ＩＣ５の内部において接続端子６間に接続されている。電圧監視ＩＣ５は、各電池セル２に対応して電圧検出器１３を備えている。電圧検出器１３は、フィルタ接続端子１１と接続端子６の間に接続されている。放電用スイッチ１２のオンオフは、図示しない制御回路により制御される。これにより、各電池セル２の電圧均等化処理が行われる。電圧検出器１３より検出される電池セル２の端子電圧は、Ａ／Ｄ変換されて制御回路に読み込まれる。
【００２０】
前述したように、組電池１を構成する際に、各メーカが何段接続のセル群を用いるかは様々である。したがって、組電池１に電圧監視ＩＣ５を接続すると、図１に示すように、接続先がスタックワイヤ４となる箇所が存在する。ここで、電池セル２Ｔの正側，負側に接続される電圧監視ＩＣ５の端子を、それぞれ６（Ｔ＋），６（Ｔ−）とする。本実施形態では、スタックワイヤ４が接続されている位置に対応して、電池セル２Ｔの正極と端子６（Ｔ＋）との間に配置される放電用抵抗素子７に替えて、電流制限抵抗素子１４を配置している。電流制限抵抗素子１４の抵抗値は、放電用抵抗素子７の抵抗値よりも高く設定されており、例えば後者が数１００Ω程度であれば、前者は数ｋΩ〜数１０ｋΩ程度に設定する。
【００２１】
図３に示す構成は、スタックワイヤ４及び電流制限抵抗素子１４を除いて、特許文献１の図１に開示されているものと同様である。充放電電流の影響によって、電池セル２Ｂの負極電位Ｖ−が電池セル２Ｔの正極電位Ｖ＋よりも低下したとする。このとき、図中に破線矢印で示すように、以下の経路で電流が流れる。
電池セル２Ｔの正極→抵抗素子７（＋）→端子６（Ｔ＋）→
放電用スイッチ１２の寄生ダイオード→端子６（Ｂ−）→
抵抗素子７（−）→電池セル２Ｂの負極
これにより、抵抗素子７（−）において電圧降下ΔＶが生じる。この状態で、電圧監視ＩＣ５が電池セル２Ｂの端子電圧を測定すると、電圧降下ΔＶ分が誤差となってしまう。
【００２２】
そこで、本実施形態では、上記のような誤差の発生を防止するため、図１に示すように、放電用抵抗素子７を電流制限抵抗素子１４に置き換えている。上記の経路に抵抗値が高い電流制限抵抗素子１４を配置することで、電流の逆流による誤差を低減する。
【００２３】
但し、電流制限抵抗素子１４を配置しただけでは別の問題が発生するため、本実施形態では、更に以下の回路素子を追加している。端子６（Ｔ＋）には、ＰチャネルＭＯＳＦＥＴ１５のゲートが接続されており、ＦＥＴ１５のソースは、電池セル２Ｔの正側端子に接続されている。ＦＥＴ１５のドレインは、抵抗素子１６を介して端子６（Ｔ−）に接続されている。抵抗素子１６の抵抗値は、抵抗素子７と同じ値に設定されている。以上が組電池監視システム１７を構成している。
【００２４】
次に、本実施形態の作用について説明する。図２には、電圧監視ＩＣ５の内部において、放電用スイッチ１２をオンするための駆動回路を示している。放電用スイッチ１２のソース，ゲート間には、抵抗素子１８が接続されており、前記ゲートには電流源１９が接続されている。電圧監視ＩＣ５は、電流源１９を動作させて電流を引くことで、抵抗素子１８によりソース，ゲート間に電位差を発生させて放電用スイッチ１２をオンし、電池セル２を放電させて均等化処理を行う。
【００２５】
しかしながら、電池セル２Ｔの放電経路中には、抵抗素子７よりも抵抗値が高い抵抗素子１４が配置されているため、電圧監視ＩＣ５が対応する放電用スイッチ１２をオンさせるため電流源１９を動作させると、抵抗素子１４において大きな電圧降下が発生する。すると、ＦＥＴのドレイン，ソース間電圧が低下するため、放電用スイッチ１２をオンできなくなるおそれがある。
【００２６】
そこで、本実施形態では、電圧監視ＩＣ５の外部に代替用電用スイッチとしてＦＥＴ１５を接続している。これにより、電圧監視ＩＣ５が上述のように電流源１９を動作させると、抵抗素子１４に発生する電圧降下によりＦＥＴ１５のソース，ゲート間に十分な電位差が生じ、ＦＥＴ１５がオンする。これにより、
電池セル２Ｔの正極→ＦＥＴ１５→抵抗素子１６→
抵抗素子７→電池セル２Ｔの負極
の経路で電流が流れる。したがって、電池セル２Ｔについても、他の電池セル２と同様に均等化処理を行うことができる。
【００２７】
以上のように本実施形態によれば、高電圧側のセル群３Ｈと低電圧側のセル群３Ｌとの間を接続するスタックワイヤ４を備える組電池１を監視対象とする。一端が電池セル２の正極に接続される抵抗素子８，及び抵抗素子８の他端と電池セル２の負極に接続されるコンデンサ９によりＲＣフィルタ１０が構成される。電圧監視ＩＣ５は、電圧検出器１３により各電池セル２の電圧を監視する。電圧監視ＩＣ５の内部には、第２配線と１段上の電池セル２の第２配線との間に接続される放電用スイッチ１２を備え、スタックワイヤ４の両端は、電池セル２の両端と同様に電圧監視ＩＣ５に接続される。
【００２８】
抵抗素子７は、第１配線においてＲＣフィルタ１０を構成するコンデンサ９の充電電荷を放電させない位置に配置される。スタックワイヤ４の第２配線には、抵抗値が放電用の抵抗素子７よりも高く設定される電流制限抵抗素子１４が配置される。代替放電用スイッチであるＦＥＴ１５及び放電用抵抗素子１６の直列回路を、前記第２配線と電圧監視ＩＣ５の接続端子６（Ｔ−）との間に接続する。ＦＥＴ１５は、電流制限抵抗素子１４に電流が流れた際に発生する電圧降下によってオンする。
【００２９】
このように構成すれば、放電用スイッチ１２にＭＯＳＦＥＴを用いた際に、ノイズ等の影響を受けてスタックワイヤ４の一端である電池セル２Ｂの負極電位が低下しても、ＭＯＳＦＥＴの寄生ダイオードを介して電流が逆流しようとする経路中にある電流制限抵抗素子１４により、電流の逆流による誤差を低減できる。したがって、組電池１においてスタックワイヤ４がどの位置になるかが事前に分からなくても、事後的に電圧監視ＩＣ５の外部において、放電用抵抗素子７を電流制限抵抗素子１４に置き換えて対応できる。
【００３０】
また、ＦＥＴ１５のソース，ゲートを電流制限抵抗素子１４の両端に接続し、電流制限抵抗素子１４に電流が流れた際に発生する電圧降下によってＦＥＴ１５をオンさせる。したがって、電流制限抵抗素子１４を配置することで放電用スイッチ１２がオンできなくても、電池セル２Ｔを、他の電池セル２と同様に２つの放電用抵抗素子１６及び７を介した経路で放電させて均等化処理を行うことができる。
【００３１】
（第２〜第４実施形態）
以下、第１実施形態と同一部分には同一符号を付して説明を省略し、異なる部分について説明する。第２〜第４実施形態は、第１実施形態の変形例である。
図４に示す第２実施形態の電池監視システム１Ａは、抵抗素子１４に並列にコンデンサ２１を接続することでフィルタを構成している。これにより、ノイズの影響によりＦＥＴ１５が誤動作することを防止する。
図５に示す第３実施形態の電池監視システム１Ｂは、ＦＥＴ１５をＰＮＰトランジスタ２２に置き換えたものである。
図６に示す第４実施形態の電池監視システム１Ｃは、第３実施形態の構成に、第２実施形態と同様にコンデンサ２１を接続したものである。
【００３２】
（第５実施形態）
図７に示すように、第５実施形態の電池監視システム３１は、ＦＥＴ１５及び抵抗素子１６の直列回路の接続位置が第１実施形態と相違しており、前記直列回路は、電池セル２Ｔに対して並列に接続されている。このように構成すれば、ＦＥＴ１５がオンした際に流れる電流の経路に抵抗素子７が含まれなくなる。したがって、ＦＥＴ１５のドレイン，ソース間電圧がより高くなり、ＦＥＴ１５をより確実にオンさせることができる。
【００３３】
（第６実施形態）
図８に示すように、第６実施形態の電池監視システム３２は、第５実施形態の構成におけるＦＥＴ１５のゲートの接続位置を変更したもので、前記ゲートは、電池セル２Ｂの負極に接続される電池監視ＩＣ５の端子６（Ｂ−）に接続されている。このように構成すれば、スタックワイヤ４の位置に対応する放電用スイッチ１２をオンさせると、抵抗素子７に発生する電圧降下によってＦＥＴ１５のソース，ゲート間に電位差を与えてＦＥＴ１５をオンさせることができる。
【００３４】
（第７実施形態）
図９に示すように、第７実施形態の電池監視システム４１は、上記の各実施形態とは異なり、電池監視ＩＣ５に替わる電池監視ＩＣ４２の内部で逆流防止対策を行っている。そのため、電流制限抵抗素子１４に替えて放電用抵抗素子７が配置されており、ＦＥＴ１５及び抵抗素子１６の直列回路も削除されている。そして、電池監視ＩＣ４２では、放電用スイッチ１２のドレイン側に、逆流防止素子であるダイオード４３を挿入している。ダイオード４３は、放電用スイッチ１２の寄生ダイオードに対して逆方向となるように接続されている。これにより、電流の逆流を防止する。
【００３５】
（第８実施形態）
図１０に示すように、第８実施形態の電池監視システム４４は第７実施形態の変形であり、電池監視ＩＣ４２に替わる電池監視ＩＣ４５を用いる。電池監視ＩＣ４５では、ダイオード４３に替えて、ＰチャネルＭＯＳＦＥＴ４６を放電用スイッチ１２の寄生ダイオードに対して逆方向となるように接続している。
【００３６】
（第９実施形態）
図１１に示すように、第９実施形態の電池監視システム５１は、第１実施形態の構成よりＦＥＴ１５及び抵抗素子１６の直列回路を削除し、電流制限抵抗素子１４を、１段上の電池セル２の放電用抵抗素子７に替えて配置したものである。このように構成した場合も、電池セル２Ｂの負極電位Ｖ−が電池セル２Ｔの正極電位Ｖ＋よりも低下した際の電流の逆流は、電流制限抵抗素子１４により低減できる。
【００３７】
そして、電池セル２Ｂの均等化処理を行う際には、電池セル２Ｂ及びスタックワイヤ４に対応する放電用スイッチ１２を同時にオンさせる。ここで、スタックワイヤ４に対応する素子の符号には（Ｗ）を付す。これにより、
電池セル２Ｂの正極→抵抗素子７（Ｂ）→放電用スイッチ１２（Ｂ）→
放電用スイッチ１２（Ｗ）→抵抗素子７（Ｗ）→電池セル２Ｂの負極
の経路で電流が流れて、電池セル２Ｂの均等化処理が行われる。
【００３８】
（その他の実施形態）
放電用スイッチを、ＮチャネルＭＯＳＦＥＴで構成したり、バイポーラトランジスタで構成しても良い。
また、放電用スイッチの駆動回路は、図２に示す構成に限らない。
各回路素子の定数は、個別の設計に応じて適宜変更すれば良い。
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【００３９】
図面中、１は組電池、２は電池セル、３はセル群、４はスタックワイヤ、５は電池監視ＩＣ、７，８は抵抗素子、９はコンデンサ、１０はＲＣフィルタ、１２は放電用スイッチ、１３は電圧検出器、１４は電流制限抵抗素子、１５はＰチャネルＭＯＳＦＥＴ、１６は放電用抵抗素子を示す。
【図１】
2019213332.tif 000003
【図２】
2019213332.tif 000004
【図３】
2019213332.tif 000005
【図４】
2019213332.tif 000006
【図５】
2019213332.tif 000007
【図６】
2019213332.tif 000008
【図７】
2019213332.tif 000009
【図８】
2019213332.tif 000010
【図９】
2019213332.tif 000011
【図１０】
2019213332.tif 000012
【図１１】
2019213332.tif 000013